(57)【要約】【課題】カメラ付き携帯端末装置において、カメラの位置を容易に特定することができる。【解決手段】筐体２と、カメラ２９を内蔵するカメラユニット２２とを備え、筐体２に、その一の表面２４側及び該一の表面２４以外の他の表面２５側にそれぞれ開口する２つの開口部２６，２７を有する収容部２３が設けられ、カメラユニット２２が、カメラ２９を２つの開口部２６，２７にそれぞれ露出させるように、収容部２３内に回転可能に配置されるとともに、カメラユニット２２の外面３５，３６に、カメラ２９がいずれの開口部２６，２７からも露出しない位置に配置させたときに２つの開口部２６，２７の少なくともいずれかより露出させる指標部材３１，３２を備える携帯端末装置を提供する。【選択図】    図３
2005045392.tif 000002
【特許請求の範囲】
【請求項１】
筐体と、カメラを内蔵するカメラユニットとを備え、
前記筐体に、その一の表面側及び該一の表面以外の他の表面側にそれぞれ開口する２つの開口部を有する収容部が設けられ、
前記カメラユニットが、前記カメラを前記２つの開口部にそれぞれ露出させるように、前記収容部内に回転可能に配置されるとともに、
前記カメラユニットの外面に、前記カメラがいずれの開口部からも露出しない位置に配置されたときに前記開口部の少なくともいずれかより露出させる指標部材を設けたことを特徴とする携帯端末装置。
【請求項２】
前記カメラユニットが、軸方向に沿う分割線に沿って分割可能な２つのケーシングを備え、前記指標部材が前記分割線をまたがって貼り付けられたラベル部材からなることを特徴とする請求項１に記載の携帯端末装置。
【請求項３】
前記ラベル部材が、透明な材質からなり、
前記ラベル部材のカメラユニット側の面または該ラベル部材を貼り付けるカメラユニットの外面のいずれかに、前記分割線を隠す印刷が施されていることを特徴とする請求項２に記載の携帯端末装置。
【発明の詳細な説明】
【０００１】
【発明の属する技術分野】
本発明は、回転可能なカメラユニットを搭載した携帯電話機、ＰＤＡ（Ｐｅｒｓｏｎａｌ  Ｄｉｇｉｔａｌ  Ａｓｓｉｓｔａｎｔｓ）等の携帯端末装置に関するものである。
【０００２】
【従来の技術】
従来、携帯電話機、ＰＤＡ（Ｐｅｒｓｏｎａｌ  Ｄｉｇｉｔａｌ  Ａｓｓｉｓｔａｎｔｓ）等の携帯端末装置が普及する中で、これらにカメラユニットを備えたものが供給されるようになっている。このように、カメラユニットを搭載した携帯端末装置として、異なる撮影方向に回転自在なカメラを備えているものが知られている（例えば、特許文献１参照。）。この携帯端末装置は、略円筒形のカメラユニットがその筒軸を中心として回動することによって撮影方向を変える構成となっている。また、筐体の表面側及び背面側に開口部が設けられ、この開口部のいずれかに露出可能に配されたカメラを備えた携帯端末装置も提案されている。
【０００３】
【特許文献１】
特開平１１−１６４２７３号公報（図１等）
【０００４】
【発明が解決しようとする課題】
携帯端末に備えられたカメラを用いて撮影しようとする際に、使用者側にカメラが見えている場合は、使用者はカメラを所望の方向に向けることができる。しかし、カメラが隠れている場合には、カメラが見える位置まで移動させなければカメラ向きが把握しづらいため煩わしい。特に瞬時にカメラ位置を特定できない場合には、一瞬のシャッターチャンスを逃すことにもなる。
本発明は上述した事情に鑑みてなされたものであって、カメラの位置を容易に特定することができる携帯端末装置を提供することを目的としている。
【０００５】
【課題を解決するための手段】
上記目的を達成するために、この発明は、以下の手段を提供する。
本発明に係る携帯端末装置は、筐体と、カメラを内蔵するカメラユニットとを備え、前記筐体に、その一の表面側及び該一の表面以外の他の表面側にそれぞれ開口する２つの開口部を有する収容部が設けられ、前記カメラユニットが、前記カメラを前記２つの開口部にそれぞれ露出させるように、前記収容部内に回転可能に配置されるとともに、前記カメラユニットの外面に、前記カメラがいずれの開口部からも露出しない位置に配置されたときに前記開口部の少なくともいずれかより露出させる指標部材を設けたことを特徴とする携帯端末装置を提供する。
【０００６】
また、上記携帯端末装置は、前記カメラユニットが、軸方向に沿う分割線に沿って分割可能な２つのケーシングを備え、前記指標部材が前記分割線をまたがって貼り付けられたラベル部材からなることが好ましい。
【０００７】
また、上記携帯端末装置は、前記ラベル部材が、透明な材質からなり、前記ラベル部材のカメラユニット側の面または該ラベル部材を貼り付けるカメラユニットの外面のいずれかに、前記分割線を隠す印刷が施されていることが好ましい。
【０００８】
【発明の実施の形態】
以下、本発明の一実施形態に係る携帯端末装置について、図面を参照して説明する。本実施形態では、携帯端末装置として、携帯電話機を例に挙げて説明する。
本実施形態に係る携帯電話機１は、図１及び図２に示すように、表示側筐体（筐体）２と、操作側筐体３と、ヒンジ部４とを備えている。この携帯電話機１は、非使用時には、表示側筐体２と操作側筐体３とがヒンジ部４を支点として折り畳み可能となっている。
【０００９】
前記表示側筐体２は、表示部２１と、カメラユニット２２とを備えている。また、表示側筐体２には収容部２３が設けられており、この収容部２３は、表示側筐体２の表面２４から裏面（他の表面）２５まで貫通して形成されており、表面２４及び裏面２５に対向する位置に開口する第１の開口部２６及び第２の開口部２７を備えている。
【００１０】
前記カメラユニット２２は、図３に示すように、表示側筐体２に内蔵され回動可能な略円筒状のケーシング２８と、このケーシング２８内に設けられたカメラ２９と、前記ケーシング２８の外面の２箇所に配された第１の指標部材３１，第２の指標部材３２とを備えている。なお、カメラユニット２２は、カメラ２９の向きが図３における右向き／下向き／左向きの３ヶ所にてクリック感を持たせて係止可能となるように表示側筐体２に組み込まれており、図３における上側にカメラ２９が向かぬ様に規制されている。すなわち、カメラ２９は図３における、右向き／下向き／左向きの３ヶ所のみに向けることができる。
前記ケーシング２８は、図４に示すように、第１のケーシング２８ａと第２のケーシング２８ｂとから構成されている。そして、第２のケーシング２８ｂには、撮像部としてのカメラ２９と、発光部３０とが配置され、これらを第１のケーシング２８ａにより覆う構造になっている。これにより、第１のケーシング２８ａと第２のケーシング２８ｂとの分割線Ａは、カメラ２９が向いている方向とは異なる位置に存在することになる。
【００１１】
前記第１の指標部材３１及び第２の指標部材３２は、ケーシング２８の回転軸線を挟んで相互の分割線Ａをまたがって設けられている。また、これら２つの指標部材３１，３２は、透明シリコン樹脂からなる第１のラベル部材３３と、第２のラベル部材３４とを、ケーシング２８ａと２８ｂとで挟み込むようにして備えている。そして、これら２つのラベル部材３３，３４のケーシング２８側の外面３５，３６には、分割線Ａを隠す文字が印刷されている。この文字は、例えば本実施形態では、カメラのＦナンバーが記載されているが、これに限定されるものではなく、カメラ２９の向きを示す矢印等であっても良い。例えば、カメラ２９の向きにより、ズーム比率や画像反転、画質調整等の処理を変更するならば、この旨を記載しておけば、使用者としては状況に見合ったカメラ２９の起動を行い易い。これらの文字等は開口部２６，２７から露出されていることが重要であって、露出されている文字等によって、使用者は使っている間にケーシング２８の回転方向を認知することができる。
【００１２】
また、前記カメラユニット２２は、図１に示すように、表示側筐体２側にカメラ２９が向いた状態で撮影する場合、表示部２１を見ながら表示部２１側の被写体を撮影することが可能となっている。また、表示部２１側にカメラ２９が向いた状態から、ケーシング２８を指等で、図１に示すＡからＢ方向に９０度回転させると、図３に示すように、第１の開口部２６から第１の指標部材３１，第２の開口部２７から第２の指標部材３２が現れるようになっている。このとき、カメラ２９は、表示側筐体２の内部に向けられている。
【００１３】
この図３に示す状態から、さらにケーシング２８をＡからＢ方向に９０度回転させると、裏面２５側にカメラ２９が向いた状態となり、この状態で撮影すると、表示部２１を見ながら裏面２５側にある被写体を撮影することが可能となっている。この状態では、開口部２６側には指標部材３１もしくは指標部材３２は露出しないようになっている。一方、図３に示す状態から、ケーシング２８をＢからＡ方向に９０度回転させると、表面２４側にカメラ２９が向けられるようになっている。この状態においては、開口部２７側には指標部材３１もしくは指標部材３２は露出しないようになっている。
【００１４】
このように構成された本実施形態に係る携帯電話機の作用について、以下に説明する。
この携帯電話機１を用いて裏面２５側の被写体を撮影する場合、図３に示すように、第１の開口部２６から指標部材３１が現れているときには、表示側筐体２内にカメラ２９が向けられている。このため、ＡからＢ方向にケーシング２８を９０度回転させることにより、カメラ２９が裏面２５側に向けられる。そして、被写体にカメラ２９を向けた後、所定のシャッターボタンを押下することによって、撮影を行う。
【００１５】
すなわち、本実施形態に係る携帯電話機１は、第１の指標部材３１及び第２の指標部材３２を設けることにより、第１の開口部２６，第２の開口部２７から第１の指標部材３１，第２の指標部材３２が露出しているときには、カメラ２９は表面２４側あるいは裏面２５側のどちらも向いていないことを視覚で確認することが可能となる。したがって、カメラ２９の位置を特定することができ、ケーシング２８の回転方向を認知することが容易となる。また、携帯電話機１を折り畳んだ状態においても、第２の指標部材３２の有無により、カメラ２９の位置を特定することが可能となる。さらに、開口部２６もしくは開口部２７の一方のみを使用者が見たときに、指標部材３１もしくは指標部材３２が露出している場合、カメラ２９が表示側筐体２の内部を向いており、露出していない場合、使用者の見ていない側の開口部２６もしくは開口部２７にカメラ２９が向いていることが分かる。
【００１６】
また、ケーシング２８ａとケーシング２８ｂとの分割線Ａをまたがってラベル部材３３，３４を設けることにより、継ぎ目を覆うことができるため、美観を損なうことのないカメラユニット２２を形成することが可能となる。
また、ケーシング２８の外面３５，３６に印字されている文字をラベル部材３５，３６で覆うことにより、ケーシング２８を指等によって回転させる操作に伴う文字の劣化を防ぐことができる。
【００１７】
なお、本実施形態に係る携帯電話機１は、指標部材３１，３２に用いるラベル部材として指を滑りにくくするため、特に、透明なシリコン樹脂を用いたが、これに代えて、紙のラベルであっても良く、さらには、アクリルやガラス等であっても良い。
また、ラベル部材３３，３４に接するケーシング２８側の面に文字を印字したが、これに代えてケーシング２８に対向するラベル部材３３，３４の表面に文字を印字しても良い。
【００１８】
【発明の効果】
以上説明したように、本発明に係る携帯端末装置によれば、カメラユニットの外面に指標部材を設けることにより、カメラの位置を特定することが容易となる。このため、瞬時にカメラをシャッターチャンスを逃すことなく被写体を撮影することが可能となる。
【図面の簡単な説明】
【図１】本発明の一実施形態に係る携帯電話機の開いた状態を前面側から見た斜視図である。
【図２】本発明の一実施形態に係る携帯電話機の開いた状態を裏面側から見た斜視図である。
【図３】本発明の一実施形態に係る携帯電話機の表示側筐体の概略拡大断面図である。
【図４】本発明の一実施形態に係る携帯電話機に設けられたカメラユニットの展開図である。
【符号の説明】
Ａ  分割線
１  携帯電話機（携帯端末装置）
２  表示側筐体（筐体）
２２  カメラユニット
２３  収容部
２４  表面
２５  裏面（他の表面）
２６  第１の開口部（開口部）
２７  第２の開口部（開口部）
２８  ケーシング
２９  カメラ
３１  第１の指標部材（指標部材）
３２  第２の指標部材（指標部材）
３３  第１のラベル部材（ラベル部材）
３４  第２のラベル部材（ラベル部材）
３５，３６  外面
【図１】
2005045392.tif 000003
【図２】
2005045392.tif 000004
【図３】
2005045392.tif 000005
【図４】
2005045392.tif 000006